(57)【要約】【課題】作業性を向上させることができるバルーン照明機を提供する。【解決手段】バルーン照明機１は、少なくとも一部に透光性を有して膨張可能なバルーン４０と、バルーン４０の内部に配設されてバルーン４０を膨張状態で保持するフレーム５０と、フレーム５０に取り付けられたＬＥＤ基板７２と、外部のリモコン送信器１００から送信された制御信号を受信するリモコン受信器７４と、リモコン受信器７４において受信した制御信号に基づき発電機２６からの電力をＬＥＤ基板７２に供給してＬＥＤ７１を点灯制御するＬＥＤ電源装置７５とを備え、リモコン受信器７４がフレーム５０の内部に配設されて構成される。【選択図】図３
2015069922.tif 000002
【特許請求の範囲】
【請求項１】
少なくとも一部に透光性を有して膨張可能なバルーンと、
前記バルーンの内部に配設されて前記バルーンを膨張状態で保持する中空のバルーン保持体と、
前記バルーン保持体に取り付けられた光源と、
外部のリモコン送信手段から送信された制御信号を受信するリモコン受信手段と、
前記リモコン受信手段において受信した制御信号に基づき外部電源からの電力を前記光源に供給して当該光源を点灯制御する電源制御装置とを備え、
前記リモコン受信手段が前記バルーン保持体の内部に配設されていることを特徴とするバルーン照明機。
【請求項２】
前記バルーンを膨張させるための空気流を生成する送風手段を備え、
前記バルーン保持体には、前記送風手段により外部空気を前記バルーンの内部に取り込むための吸気口と、前記吸気口から取り込まれた空気流を前記バルーンへ向けて送風するための送風路とが形成されており、
前記送風路の途中に前記光源、前記電源制御装置および前記リモコン受信手段を配置したことを特徴とする請求項１に記載のバルーン照明機。
【請求項３】
前記バルーン保持体の前記送風路は、空気流が通過可能な開口を有する仕切部材によって第１送風路および第２送風路に区画され、
前記第１送風路の途中に前記電源制御装置および前記リモコン受信手段を配置し、前記第２送風路の途中に前記光源を配置したことを特徴とする請求項２に記載のバルーン照明機。
【発明の詳細な説明】
【技術分野】
【０００１】
本発明は、例えば工場現場やイベント会場等の夜間照明用に使用されるバルーン照明機に関する。
【背景技術】
【０００２】
バルーン照明機は、主として工事現場やイベント会場等の電源供給設備がない屋外において、エンジン式の発電機やバッテリを電源として照明を行うものである（例えば、特許文献１を参照）。
【先行技術文献】
【特許文献】
【０００３】
【特許文献１】特開２００４−９５５１７号公報
【発明の概要】
【発明が解決しようとする課題】
【０００４】
従来、このようなバルーン照明機を作業に必要な場所に設置して、作業開始時あるいは作業終了時に点灯、消灯を行うためには、必ず作業者が該照明機を設置した場所まで移動し、本体に付属してあるスイッチボックスのＯＮ／ＯＦＦスイッチを操作しなければならなかった。しかしながら、バルーン照明機の設置場所や作業環境によっては、移動自体が困難又は移動に時間を要する場合があり、このような作業の煩わしさが問題になっている。また、バルーン照明機を複数台設置するような場合は、その台数分、作業者が該照明機まで一通り移動して、操作しなければならず、多大な時間や手間を要するという問題がある。
【０００５】
本発明は、このような課題に鑑みてなされたものであり、作業性を向上させることができるバルーン照明機を提供することを目的とする。
【課題を解決するための手段】
【０００６】
前記課題を解決するために、本発明に係るバルーン照明機は、少なくとも一部に透光性を有して膨張可能なバルーンと、バルーンの内部に配設されてバルーンを膨張状態で保持する中空のバルーン保持体（例えば、実施形態におけるフレーム５０）と、バルーン保持体に取り付けられた光源（例えば、実施形態におけるＬＥＤ７１）と、外部のリモコン送信手段（例えば、実施形態におけるリモコン送信器１００）から送信された制御信号を受信するリモコン受信手段（例えば、実施形態におけるリモコン受信器７４）と、リモコン受信手段において受信した制御信号に基づき外部電源（例えば、実施形態における発電機２６）からの電力を光源に供給して当該光源を点灯制御する電源制御装置（例えば、実施形態におけるＬＥＤ電源装置７５）とを備え、リモコン受信手段がバルーン保持体の内部に配設されるよう構成する。
【０００７】
なお、上述の発明において、バルーンを膨張させるための空気流を生成する送風手段（例えば、実施形態におけるバルーン膨張装置６０）を備え、バルーン保持体には、送風手段により外部空気をバルーンの内部に取り込むための吸気口と、吸気口から取り込まれた空気流をバルーンへ向けて送風するための送風路とが形成されており、送風路の途中に光源、電源制御装置およびリモコン受信手段を配置することが好ましい。
【０００８】
また、上述の発明において、バルーン保持体の送風路は、空気流が通過可能な開口を有する仕切部材（例えば、実施形態における上側プレート部材５２）によって第１送風路お
よび第２送風路に区画され、第１送風路の途中に電源制御装置およびリモコン受信手段を配置し、第２送風路の途中に光源を配置することが好ましい。
【発明の効果】
【０００９】
本発明に係るバルーン照明機によれば、作業者が当該照明機の設置場所まで移動しなくても、離れた作業位置からリモコン送信手段によって点灯、消灯等の遠隔操作が可能となるため、作業性および作業効率を向上させることが可能となる。また、リモコン受信手段をバルーン保持体に内蔵したことにより、耐衝撃性・防塵・防滴に対応した構造となり、いかなる作業環境下であった場合でもリモコン操作を長期安定して行うことができる。
【００１０】
また、上述の発明において、バルーンを膨張させるための空気流が通過する送風路の途中に、光源、リモコン受信手段および電源制御装置を配置したことにより、これらの装置が安定的に冷却されて温度上昇が防止されるため、光源の発光効率および寿命が高められるとともに、リモコン受信手段および電源制御装置の過熱による故障等が防止される。
【００１１】
また、上述の発明において、光源および送風手段と、これらを作動させるための電源制御装置およびリモコン受信手段と、を仕切部材によって熱的に分離して配置することで、互いに熱的影響を与え難くすることができるとともに、バルーン外部からの空気流によって効率よく冷却することが可能となる。
【図面の簡単な説明】
【００１２】
【図１】本実施形態に係るバルーン照明機を示す側面図である。
【図２】上記バルーン照明機に構成される照明バルーンを示す正断面図である。
【図３】上記バルーン照明機に構成されるフレーム、バルーン膨張装置およびＬＥＤ照明装置を示す側断面図である。
【図４】上記フレームを上方から見た平面図である。
【図５】上記照明バルーンにおいて空気の流れを説明するための側断面図である。
【図６】上記ＬＥＤ照明装置のブロック図である。
【発明を実施するための形態】
【００１３】
以下、本発明の好ましい実施形態について図面を参照して説明する。本実施形態に係るリモコン受信機能付きのバルーン照明機を図１に示しており、まず始めに、この図を参照しながら、バルーン照明機１の全体構成について説明する。
【００１４】
バルーン照明機１は、移動自在の台車２と、この台車２上に配設された伸縮可能な昇降装置３と、昇降装置３に支持された照明バルーン４とを主体として構成される。
【００１５】
台車２は、左右一対の前輪２１および後輪２２を備えて走行自在に構成されており、バルーン照明機１を容易に移動させることができるようになっている。この台車２には、前後輪２１，２２の方向転換用の操向ハンドル２３や、後輪２２を制動するためのブレーキ装置２４、左右一対のアウトリガ２５等が設けられている。台車２上には、照明バルーン４の電源プラグ８０を差し込み可能なコンセント（図示せず）を有する中継ボックス２７や、この中継ボックス２７を介して照明バルーン４に電力を供給可能なエンジン式の発電機２６が搭載されている。中継ボックス２７は、昇降装置３にネジ等の固定手段により取り付けられており、昇降装置３に対して反対側の面（外側の面）に主電源スイッチ（ブレーカ）等が配設されている。なお、電源プラグ８０をコンセントに繋ぐ構成ではなく、コネクタ嵌合により電源接続する構成としてもよい。また、電源プラグ８０を発電機２６に直接繋ぐようにしてもよい。
【００１６】
昇降装置３は、台車２上に立設固定された第１マスト３１と、第１マスト３１内に進退
自在に挿嵌された第２マスト３２と、第２マスト３２内に進退自在に挿嵌された第３マスト３３と主体に構成され、この第３マスト３３の上端部に照明バルーン４が取り付けられる。第２マスト３２および第３マスト３３は、第１マスト３１に配設されたウィンチ３５のハンドル３６を回転操作してワイヤーロープ３７を巻き取ることにより、第３マスト３３、第２マスト３２の順に段階的に上昇し、ハンドル３６を逆回転操作してワイヤーロープ３７を繰り出すことにより、第２マスト３２、第３マスト３３の順に段階的に下降するようになっている。
【００１７】
照明バルーン４は、図２および図３に示すように、薄い可撓性の材料からなる膨張可能なバルーン４０と、このバルーン４０の内部に配設されてバルーン４０を保持するフレーム５０と、フレーム５０の内部に配設されてバルーン４０を膨張させるバルーン膨張装置６０と、フレーム５０の内部に配設されてバルーン４０を照明するＬＥＤ照明装置７０とを備えて構成され、
【００１８】
バルーン４０は、図１および図２に示すように、膨張状態において略楕円形態を呈し、長軸に沿って上下の半楕円部４１，４２に分割され、これら上下の半楕円部４１，４２を繋ぎ合わせて形成されている。バルーン４０の材料としては、例えば、プラスチック処理が施された白色の布や、単純な白色のプラスチック製フィルムなどがある。上側の半楕円部４１の内側は、アルミコーティングされた光反射板になっている。下側の半楕円部４２の下部には、複数のエア抜き孔（図示せず）が形成されている。なお、バルーン４０は、後述する下側プレート部材５３に設けられたファスナー式連結手段４９によりフレーム５０に着脱可能に連結される。
【００１９】
フレーム５０は、図２および図３に示すように、バルーン４０の取付ベースとなるバルーン取付本体５１と、バルーン取付本体５１の上端部に連設されたガード部材５５とを備えて構成され、これらが一体となって照明バルーン４の骨格をなしている。
【００２０】
バルーン取付本体５１は、金属材料を用いて断面多角形の中空筒状に形成されている。このバルーン取付本体５１の上端には上蓋プレート部材５２が設けられ、バルーン取付本体５１の下端には下側プレート部材５３が設けられている。上側プレート部材５２にはその中央に上下貫通する通風孔（図示せず）が形成され、下側プレート部材５３には上下貫通する多数の小孔（図示せず）が形成されており、照明バルーン４の内外へ空気流が通過できるように構成されている。すなわち、バルーン取付本体５１の内部空間には、照明バルーン４の内外を連通させるための第１送風路Ｓ１が形成されている。そして、この第１送風路Ｓ１の途中に、後述するＬＥＤ電源装置７５、リモコン受信器７４およびファン電源装置６２などが配設されている。
【００２１】
また、バルーン取付本体５１の下側プレート部材５３には、第３マスト３３の状態に連結されるバルーン連結部５４が設けられており、これにより照明バルーン４が昇降装置３の上端に取り付けられるようになっている。
【００２２】
ガード部材５５は、周方向に等間隔で配置された複数本の棒状の第１枠部材５６と、第１枠部材５６同士を連結するための複数本の環状の第２枠部材５７と、第１枠部材５６の上端に連結された環状の第３枠部材５８とを備え、全体として筒型柵状に形成されており、後述する複数のＬＥＤ基板７２を包囲するようにバルーン取付本体５１の上端に連結されている。そのため、バルーン４０の収縮時に、このバルーン４０が発熱源となるＬＥＤ基板７２に接触して損傷（溶融等）してしまうのを防止できるようになっている。ガード部材５５の内部空間には、第１送風路Ｓ１からの空気流を通過させるための第２送風路Ｓ２が形成されている。そして、この第２送風路Ｓ２の途中に、後述するＬＥＤ基板７２、シロッコファン６１などが配設されている。また、ガード部材５５における枠部材５６，
５７，５８の間には、第２送風路Ｓ２からの空気流をバルーン４０へ向けて通過させるための枠開口５９が形成されている。
【００２３】
バルーン膨張装置６０は、バルーン４０を膨張するための空気流を生成するシロッコファン６１と、発電機２６（中継ボックス２７）からの電力をシロッコファン６１へ供給するファン電源装置６２とを備えて構成され、シロッコファン６１を作動させることで、外部空気が下側プレート部材５３の小孔（図示せず）を通じて空気流としてフレーム５０の内部（バルーン取付本体５１の第１送風路Ｓ１およびガード部材５５の第２送風路Ｓ２）に送り込まれるようになっている。
【００２４】
ＬＥＤ照明装置７０は、その表面に多数個のＬＥＤ７１が実装された複数のＬＥＤ基板７２と、上側プレート部材５２に取り付けられてＬＥＤ基板５２を立設姿勢で支持する筒状の支持部材７３と、外部のリモコン送信器１００からの制御信号を受信するリモコン受信器７４と、ＬＥＤ基板７２へ発電機２６（中継ボックス２７）からの電力を供給するＬＥＤ電源装置７５とを備えている。なお、図４に示すように、ＬＥＤ基板７２は、ＬＥＤ７１の発する熱を放出するための放熱フィン７６を介して支持部材７３に取り付けられている。
【００２５】
ここで、図６は、バルーン膨張装置６０およびＬＥＤ照明装置７０の電気的構成を示すブロック図である。
【００２６】
リモコン送信器１００は、バルーン膨張装置６０のシロッコファン６１をオン・オフ操作するためのファン操作スイッチ１０１Ａと、点灯スイッチ、消灯スイッチおよび調光スイッチ等のＬＥＤ操作スイッチ１０１Ｂと、チャンネルを指定するためのチャンネルスイッチ１０２と、上記スイッチ１０１，１０２によって指定された各種情報を含む制御信号を例えば赤外線通信によって送信するリモコン制御部１０３とを備えている。チャンネルスイッチ１０２には、複数のチャンネルが設定されており、例えば０チャンネル、１チャンネル、２チャンネル、３チャンネル…等のように、バルーン照明機１に予め設定された設定チャンネルに対応したチャンネル指定を行うことで、操作スイッチ１０１により所望のバルーン照明機１のみを遠隔操作できるようになっている。例えば、リモコン送信器１００により１チャンネルを指定した情報を含む制御信号を送信した場合には、設定チャンネルとして１チャンネルが予め設定されたバルーン照明機１だけが、リモコン送信器１００からの遠隔操作を受け付ける。同様に、リモコン送信器１００により２チャンネルを指定した情報を含む制御信号を送信した場合には、設定チャンネルとして２チャンネルが予め設定されたバルーン照明機１だけが、リモコン送信器１００からの遠隔操作を受け付ける。なお、例えば、０チャンネルを指定した場合には、遠隔操作範囲にある全てのバルーン照明機１を遠隔操作可能とすることもできる（すなわち、０チャンネルを全チャンネルとして規定することもできる）。
【００２７】
リモコン受信器７４は、リモコン送信器１００からの制御信号（赤外線）を受信して、該制御信号をファン電源装置６２のファン制御部６２２およびＬＥＤ電源装置７５のＬＥＤ制御部７５２に伝送する。このリモコン受信器７４は、バルーン照明機１ごとに割り当てられた固有の設定チャンネルが不図示の設定スイッチによって設定可能となっている。本実施形態では、リモコン受信器７４は発電機２６からの作動電圧を受電しているが、例えば、当該リモコン受信器７４に電池等を内蔵して作動電圧を受電するように構成してもよい。なお、このリモコン受信器７４を内包するバルーン取付本体５１において、このリモコン受信器７４と対向する部分に、リモコン送信器１００からの制御信号を受光するための窓部を設けてもよい。
【００２８】
ＬＥＤ電源装置７５は、発電機２６からの交流電源を直流電源に変換してＬＥＤ７１（
ＬＥＤ基板７２）に電力を供給するためのＬＥＤ電源回路部７５１と、リモコン受信器７４からの制御信号に基づきＬＥＤ電源回路部７５１を制御するＬＥＤ制御部７５２とを備えている。なお、このＬＥＤ電源装置７５およびファン電源装置６２には、上述の中継ボックス２７のコンセント（図示せず）に差し込まれる電源プラグ８０が電源ケーブル８１を介して接続されている。
【００２９】
ＬＥＤ電源回路部７５１は、例えばインバータ回路（ＰＷＭ方式の場合）やスイッチ回路（位相制御方式の場合）等を含んで構成され、ＬＥＤ制御部７５２からの指令に基づきＬＥＤ７１の点灯状態（点灯、消灯、調光）を制御する。
【００３０】
ＬＥＤ制御部７５２は、ＣＰＵ、ＲＯＭ、ＲＡＭ等を搭載したマイクロコンピュータを主体として構成されている。ＬＥＤ制御部７５２は、リモコン送信器１００からの制御信号に含まれる指定チャンネルと、リモコン受信器７４に設定された設定チャンネルとを照合し、両者が一致する場合には自身への制御信号であると認識して、この制御信号に含まれる動作情報に基づきＬＥＤ電源回路部７５１を介してＬＥＤ７１の点灯、消灯等の動作を制御する。一方、両者が一致しない場合には、制御信号に含まれる動作情報に基づきＬＥＤ７１の動作を制御しない（制御信号を無効とする）。
【００３１】
ファン電源装置６２は、発電機２６からの交流電源を直流電源に変換してシロッコファン６１に電力を供給するためのファン電源回路部６２１と、リモコン受信器７４からの制御信号に基づきファン電源回路部６２１を制御するファン制御部６２２とを備えている。
【００３２】
ファン電源回路部６２１は、ファン制御部６２２からの指令に基づきシロッコファン６１に電力を供給して、シロッコファン６１の作動をオン／オフ制御する。
【００３３】
ファン制御部６２２は、ＣＰＵ、ＲＯＭ、ＲＡＭ等を搭載したマイクロコンピュータを主体として構成されている。ファン制御部６２２は、リモコン送信器１００からの制御信号に含まれる指定チャンネルと、リモコン受信器７４に設定された設定チャンネルとを照合し、両者が一致する場合には自身への制御信号であると認識して、この制御信号に含まれる動作情報に基づきファン電源回路部６２１を介してシロッコファン６１の作動を制御する。一方、両者が一致しない場合には、制御信号に含まれる動作情報に基づきシロッコファン６１の作動を制御しない（制御信号を無効とする）。
【００３４】
なお、本実施形態では、バルーン４０が膨張状態となる前にＬＥＤ７１が点灯するのを防止するためのインターロック回路として、リモコン送信器１００のファン操作スイッチ１０１Ａによってバルーン４０が膨張状態となった後でなければ、ＬＥＤ操作スイッチ１０１Ｂをいくら操作してもＬＥＤ照明装置７０が作動しないように構成されている。
【００３５】
このように構成されるバルーン照明機１を用いて照明を行うには、まず、バルーン照明機１を所望の位置に移動させ、昇降装置３を用いて照明バルーン４を所望の高さまで上昇させる。そして、リモコン送信器１００から本バルーン照明機１を動作させるための制御信号を送信する。この制御信号は、前述したように、チャンネルスイッチ１０２によって選択された指定チャンネルと、リモコン受信器７４に設定された設定チャンネルとが一致する場合に有効なものとして扱われ、この制御信号に含まれる動作情報に基づきシロッコファン６１およびＬＥＤ７１の動作が遠隔操作される。具体的には、所定の指定チャンネルが設定されていることを条件に、リモコン送信器１００のファン操作スイッチ１０１Ａが操作された場合にはシロッコファン６１が作動し、リモコン送信器１００の点灯スイッチが操作された場合にはＬＥＤ７１が点灯状態となり、調光スイッチが操作された場合にはＬＥＤ７１の点灯状態が所定の調光レベルに調整され、消灯スイッチが操作された場合にはＬＥＤ７１が消灯される。このような遠隔操作によって、バルーン膨張装置６０のシ
ロッコファン６１を作動させてバルーン４０を膨張させ、バルーン４０が照明可能な所定の状態まで膨張したところで、ＬＥＤ７１を点灯させる。
【００３６】
このようにバルーン照明機１が作動している状態では、図６（空気流が矢印で示されている）に示すように、バルーン膨張装置６０のシロッコファン６１により、照明バルーン４外部の空気が下側プレート部材５３の小孔（図示せず）から空気流としてバルーン取付本体５１内部の第１送風路Ｓ１に送り込まれ、この第１送風路Ｓ１を通過した後、上側プレート部材５２の通風孔（図示せず）からガード部材５５内部の第２送風路Ｓ２に送り込まれる。そして、第２送風路Ｓ２の空気流は枠開口５９からバルーン４０の内周面へ向けて送られて、バルーン４０の膨張状態がほぼ一定に維持される。
【００３７】
このとき、第１送風路Ｓ１の途中にはＬＥＤ電源装置７５およびリモコン受信器７４が配設され、第２送風路Ｓ２の途中にはＬＥＤ基板７２が配設されており、これらがシロッコファン６１により生成された空気流により効果的に冷却されるようになっている。これにより、ＬＥＤ７１の発光効率および寿命が高められるとともに、リモコン受信器１００およびＬＥＤ電源装置７５の過熱による故障等が防止されるため、バルーン照明機１による照明を長期にわたり安定的に行うことが可能となる。
【００３８】
なお、作業終了に伴い、バルーン４０を収縮させるには、リモコン送信器１００のファン操作装置１０１Ｂをオフ操作してバルーン膨張装置６０のシロッコファン６１の作動を停止し、バルーン４０内部の空気をバルーン４０のエア抜き孔（図示せず）から外部へ排出するようにすればよい。
【００３９】
以上、本実施形態に係るバルーン照明機１によれば、作業者が当該照明機１の設置場所まで移動しなくても、離れた作業位置からリモコン送信器１００によって点灯、消灯等の遠隔操作が可能となるため、作業性および作業効率を向上させることが可能となる。また、リモコン受信器７４をバルーン取付本体５１に内蔵したことにより、耐衝撃性・防塵・防滴に対応した構造となり、いかなる作業環境下であった場合でもリモコン操作を長期安定して行うことができる。
【００４０】
また、本実施形態に係るバルーン照明機１では、バルーン４０を膨張させるための空気流が通過する送風路Ｓ１，Ｓ２の途中に、ＬＥＤ基板７２、リモコン受信器７４およびＬＥＤ電源装置７５を配置したことにより、これらの装置が安定的に冷却されて温度上昇が防止されるため、ＬＥＤ７１の発光効率および寿命が高められるとともに、リモコン受信器７４およびＬＥＤ電源装置７５の過熱による故障等が防止される。
【００４１】
また、本実施形態に係るバルーン照明機１では、ＬＥＤ７１およびシロッコファン６１と、これらを作動させるためのＬＥＤ電源装置７５、リモコン受信器７４およびファン電源装置６２と、を上側プレート部材５２によって熱的に分離して配置したため、互いに熱的影響を与え難くすることができるとともに、照明バルーン４外部からの空気流によって効率よく冷却することが可能となる。
【００４２】
以上、本発明の好ましい実施形態について説明してきたが、本発明は、上記実施形態に限定されるものではなく、本発明の要旨を逸脱しない範囲であれば適宜改良可能である。
【符号の説明】
【００４３】
上述の実施形態では、バルーン照明機１の光源としてＬＥＤを使用した場合を例示して説明したが、この構成に限定されるものではなく、例えばメタルハライドランプや白熱ランプ、ハロゲンランプ等の他の光源を使用してもよい。
【００４４】
また、上述の実施形態では、ＬＥＤ電源装置７５とファン電源装置６２とを独立した個別の装置として構成したが、この構成に限定されるものではなく、両者を単一の電源装置として構成してもよい。
【００４５】
また、上述の実施形態では、リモコン送信器１００とリモコン受信機７４とは、通信方式として赤外線通信を用いる構成であったが、この構成に限定されるものではなく、他の通信方式を採用することもできる。
【００４６】
また、上述の実施形態では、照明バルーン４を台車２および昇降装置３で支持する台車式のバルーン照明機として構成した場合を例示して説明したが、この構成に限定されるものではなく、例えば折り畳み可能な三脚式のバルーン照明機やカート式のバルーン照明機として構成してもよい。
【００４７】
また、上述の実施形態では、ＬＥＤ７１等への電源の供給源として発電機２６を利用した場合を例示して説明したが、この構成に限定されるものではなく、例えば、リチウムイオン等のバッテリ（二次電池）を搭載したり、商業施設等の商用電源を利用したりしてもよい。
【００４８】
また、上述の実施形態では、バルーン膨張装置６０およびＬＥＤ照明装置７０を操作するための操作スイッチを、各装置ごとにファン操作スイッチ１０１ＡとＬＥＤ操作スイッチ１０１Ｂとに分けて構成したが、この構成に限定されるものではなく、これらを単一のスイッチとして構成してもよい。
【００４９】
１  バルーン照明機
４  照明バルーン
２６  発電機（外部電源）
４０  バルーン
５０  フレーム（バルーン保持体）
５１  バルーン取付本体
５５  ガード部材
６０  バルーン膨張装置（送風手段）
６１  シロッコファン
６２  ファン電源装置
７１  ＬＥＤ（光源）
７２  ＬＥＤ基板
７４  リモコン受信器（リモコン受信手段）
７５  ＬＥＤ電源装置（電源制御装置）
１００  リモコン送信器（リモコン送信手段）
Ｓ１  第１送風路
Ｓ２  第２送風路
【図１】
2015069922.tif 000003
【図２】
2015069922.tif 000004
【図３】
2015069922.tif 000005
【図４】
2015069922.tif 000006
【図５】
2015069922.tif 000007
【図６】
2015069922.tif 000008